(57)【要約】【課題】一度の設定操作だけで以降、いずれの再生装置においても再設定の必要なくプログラム再生が可能となり、利便性が向上する再生装置を提供する。【解決手段】制御部６は、ＵＳＢインタフェース８に接続されたＵＳＢメモリに記憶されたファイルの再生順序を表す情報であるプログラム設定情報をリモコン操作に基づきメモリ７上に作成し、該作成されたプログラム設定情報をＵＳＢメモリに記憶させることを行い、また、制御部６は、ＵＳＢメモリに記憶されたプログラム設定情報を読み込みメモリ７に記憶させ、該記憶されたプログラム設定情報に基づきＵＳＢメモリに記憶されたファイルを順次読み出し再生させる。【選択図】図１
2008108334.tif 000002
【特許請求の範囲】
【請求項１】
ＵＳＢインタフェースと、
該ＵＳＢインタフェースに接続された外部記憶装置に記憶されたファイルの再生順序を表す情報を操作手段における操作に基づき作成する手段と、
該作成された情報を前記ＵＳＢインタフェースに接続された前記外部記憶装置に記憶させる手段と、
前記ＵＳＢインタフェースに接続された外部記憶装置に記憶された、該外部記憶装置に記憶されたファイルの再生順序を表す情報に基づき、該ファイルを順次再生する手段と、を備えることを特徴とする再生装置。
【請求項２】
ＵＳＢインタフェースと、
該ＵＳＢインタフェースに接続された外部記憶装置に記憶されたファイルの再生順序を表す情報を操作手段における操作に基づき作成する手段と、
該作成された情報を前記ＵＳＢインタフェースに接続された前記外部記憶装置に記憶させる手段と、を備えることを特徴とする再生装置。
【請求項３】
ＵＳＢインタフェースと、
該ＵＳＢインタフェースに接続された外部記憶装置に記憶された、該外部記憶装置に記憶されたファイルの再生順序を表す情報に基づき、該ファイルを順次再生する手段と、を備えることを特徴とする再生装置。
【請求項４】
操作手段と、ＵＳＢインタフェースとを有するコンピュータを、
該ＵＳＢインタフェースに接続された外部記憶装置に記憶されたファイルの再生順序を表す情報を操作手段における操作に基づき作成する手段、および
該作成された情報を前記ＵＳＢインタフェースに接続された前記外部記憶装置に記憶させる手段、として機能させるためのプログラム。
【発明の詳細な説明】
【技術分野】
【０００１】
本発明は、ＵＳＢインタフェースを有する再生装置に関する。
【背景技術】
【０００２】
従来から、ＵＳＢメモリを装着可能でＵＳＢメモリに記憶されたファイルを再生できるような再生装置が開発されている（このような再生装置としては、例えば特許文献１参照）。
【０００３】
また、従来から、ＣＤやＭＤに記録された曲をユーザが設定した曲順で再生可能な、いわゆるプログラム再生が可能な再生装置が開発されている。このような再生装置には、ユーザが設定した曲順を本体内に記憶できるものも開発されている。
【０００４】
そこで上記のような再生装置を組み合わせることにより、ＵＳＢメモリに記憶されたファイルをプログラム再生可能で、ユーザが設定したファイルの再生順序を本体内に記憶できる再生装置を開発することが考えられる。このような再生装置によれば、ユーザが一度ファイルの再生順序を設定すれば、以降再設定の必要なくプログラム再生することができる。
【特許文献１】特開２００５−７２７９９号公報
【発明の開示】
【発明が解決しようとする課題】
【０００５】
しかし、上記の再生装置では、本体内にファイルの再生順序が記憶された再生装置とは別の再生装置にＵＳＢメモリを装着してプログラム再生させようとする場合、該再生装置にはファイルの再生順序は記憶されていないため、ユーザは再生順序を再設定する必要があり利便性が低いという問題がある。
【０００６】
上記問題点を鑑み本発明は、一度の設定操作だけで以降、いずれの再生装置においても再設定の必要なくプログラム再生が可能となり、利便性が向上する再生装置を提供することを目的とする。
【課題を解決するための手段】
【０００７】
上記目的を達成するために本発明の再生装置は、ＵＳＢインタフェースと、
該ＵＳＢインタフェースに接続された外部記憶装置に記憶されたファイルの再生順序を表す情報を操作手段における操作に基づき作成する手段と、
該作成された情報を前記ＵＳＢインタフェースに接続された前記外部記憶装置に記憶させる手段と、を備えることを特徴としている。
【０００８】
また、上記目的を達成するために本発明の再生装置は、ＵＳＢインタフェースと、
該ＵＳＢインタフェースに接続された外部記憶装置に記憶された、該外部記憶装置に記憶されたファイルの再生順序を表す情報に基づき、該ファイルを順次再生する手段と、を備えることを特徴としている。
【０００９】
このような構成によれば、一度の設定操作だけで以降、いずれの再生装置においても再設定の必要なくプログラム再生が可能となり、利便性が向上する。
【００１０】
また、上記目的を達成するために本発明のプログラムは、操作手段と、ＵＳＢインタフェースとを有するコンピュータを、
該ＵＳＢインタフェースに接続された外部記憶装置に記憶されたファイルの再生順序を表す情報を操作手段における操作に基づき作成する手段、および
該作成された情報を前記ＵＳＢインタフェースに接続された前記外部記憶装置に記憶させる手段、として機能させるためのプログラムとしている。
【発明の効果】
【００１１】
本発明の再生装置やプログラムによれば、一度の設定操作だけで以降、いずれの再生装置においても再設定の必要なくプログラム再生が可能となり、利便性が向上する。
【発明を実施するための最良の形態】
【００１２】
本発明の実施形態について図面を参照しながら以下説明する。図１に、本発明に係るＵＳＢインタフェース搭載型ＤＶＤプレーヤのブロック図を示す。
【００１３】
本発明に係るＵＳＢインタフェース搭載型ＤＶＤプレーヤは、ＤＶＤドライブ１と、デコード部２と、ＯＳＤ部３と、オーディオＤＡコンバータ４と、ビデオエンコーダ５と、制御部６と、メモリ７と、ＵＳＢインタフェース８と、リモコン受信部９とを備える。
【００１４】
ＤＶＤドライブ１は、ディスクから映像音声情報を読み出しデコード部２に出力する。デコード部２は、ＤＶＤドライブ１から入力される映像音声情報を伸長し、デジタル音声信号をオーディオＤＡコンバータ４に出力し、デジタル画像信号をＯＳＤ部３に出力する。オーディオＤＡコンバータ４は、デジタル音声信号をアナログ音声信号に変換して外部のスピーカ（不図示）へ出力する。ＯＳＤ部３は、制御部６の指示により図形文字信号を生成して、デコード部２からのデジタル画像信号と合成して合成信号を生成し、合成信号をビデオエンコーダ５に出力する。また、ＯＳＤ部３は、合成せずに図形文字信号をビデオエンコーダ５に出力もする。ビデオエンコーダ５は、ＯＳＤ部３からの合成信号や図形文字信号をビデオ信号に変換して外部の表示装置（不図示）に出力する。ＵＳＢインタフェース８は、不図示のＵＳＢメモリを装着可能なインタフェースである。デコード部２は、制御部６がＵＳＢインタフェース８を介してＵＳＢメモリから読み出したファイルを伸長し、デジタル音声信号をオーディオＤＡコンバータ４に出力したり、デジタル画像信号をＯＳＤ部３に出力したりする。リモコン受信部９は、不図示のリモコンから赤外線信号を受信し制御部６へコード信号を出力する。
【００１５】
このような構成の本発明に係るＵＳＢインタフェース搭載型ＤＶＤプレーヤにおけるプログラム再生に関する動作について以下、図２に示すフローチャートに沿って説明する。
【００１６】
予めファイルと、ファイル情報と、フォルダ情報とが記憶され、プログラム設定情報は記憶されていないＵＳＢメモリがＵＳＢインタフェース８に装着されると、ステップＳ２１で、制御部６はＵＳＢインタフェース８を介してＵＳＢメモリからファイル情報およびフォルダ情報を読み出してそれらをメモリ７に記憶させる。ファイル情報は、ファイル位置情報、ファイル名情報、アドレス情報、サイズ情報を含む。フォルダ情報は、フォルダ位置情報、フォルダ名情報を含む。
【００１７】
そして、ステップＳ２２で、制御部６はＵＳＢインタフェース８を介してＵＳＢメモリを読みに行き、ＵＳＢメモリに後述するプログラム設定情報が記憶されているか否かを判定する。ここでは、ＵＳＢメモリにプログラム設定情報はまだ記憶されていないため（ステップＳ２２のＮ）、ステップＳ２４に進む。
【００１８】
ステップＳ２４で、制御部６がキー入力受付状態となり、リモコンにおいてプログラム画面表示用キーが入力されると、制御部６はリモコン受信部９から対応するコード信号を受信し、ステップＳ２５へ進む。
【００１９】
ステップＳ２５で、制御部６はメモリ７にプログラム設定情報が記憶されているか否かを判定する。ここでは、メモリ７にプログラム設定情報は記憶されていないので（ステップＳ２５のＮ）、ステップＳ２８に進む。
【００２０】
ステップＳ２８で、制御部６は、メモリ７に記憶されたファイル情報およびフォルダ情報に基づきＯＳＤ部３に図形文字信号を生成するよう指示し、表示装置に図３のような通常のプログラム画面が表示される。ここでは、ルートフォルダ直下にあるフォルダのフォルダ名が先頭にマーク１０１を付されて表示され、ルートフォルダ直下にあるＭＰ３ファイルのファイル名が先頭にマーク１０２を付されて表示され、ルートフォルダ直下にあるＷＭＡファイルのファイル名が先頭にマーク１０３を付されて表示され、ルートフォルダ直下にあるＪＰＥＧファイルのファイル名が先頭にマーク１０４を付されて表示される。また、ハイライト１０５および被選択ファイル表示領域１０６も併せて表示される。本画面において、ユーザはファイルの再生順序を設定することができる。
【００２１】
そして、ステップＳ２９では、図４に示すフローチャートの動作に移行する。
【００２２】
ステップＳ４１で、制御部６は変数Ｉに１を代入する。
【００２３】
ここで、ハイライト１０５はリモコン操作により移動可能であり、ハイライト１０５によりファイル名が選択できる。また、ルートフォルダ直下にあるフォルダのフォルダ名がハイライト１０５により選択された状態でリモコンにおいて決定キーが入力されると、選択されたフォルダ名のフォルダ直下にあるファイルやフォルダのファイル名やフォルダ名が表示され、ここでもハイライト１０５によりファイル名を選択可能である。同様にあらゆる階層のフォルダ直下にあるファイルのファイル名がハイライト１０５により選択可能である。
【００２４】
ステップＳ４２で、上記のようにハイライト１０５によりファイル名が選択された状態でリモコンにおいて決定キーが入力され、制御部６が対応するコード信号を受信すると、ステップＳ４３に進む。ステップＳ４３で、制御部６はＯＳＤ部３に図形文字信号を生成するよう指示し、ハイライト１０５により選択されたファイル名が先頭に対応するマークを付されて被選択ファイル表示領域１０６に表示される。図５は、図３においてファイル名「ＷＭＡ＿０１」がハイライト１０５により選択され決定された場合の画面を示す。
【００２５】
そして、ステップＳ４４で、制御部６は、ハイライト１０５により選択されたファイル名に対応するファイル位置情報およびファイル名情報を、変数Ｉを表すプログラム番号情報と対応させてメモリ７に記憶させる。
【００２６】
その後、ステップＳ４５で、制御部６は変数Ｉを１だけ増加させ、以降ステップＳ４２でファイル名が選択および決定されるたびに同様の動作が繰り返される。
【００２７】
そして、ステップＳ４５が終わった状態でリモコンにおいて再生キーが入力され、制御部６が対応するコード信号をリモコン受信部９から受信すると（図２のステップＳ３０）、ステップＳ３１で、制御部６は、図４に示す動作によりメモリ７に記憶されたプログラム番号情報、ファイル位置情報、ファイル名情報をプログラム設定情報として、ＵＳＢインタフェース８を介してＵＳＢメモリに記憶させる。
【００２８】
その後、ステップＳ３２で、制御部６は、メモリ７に記憶されたプログラム番号情報が表す番号が小さい順に、プログラム番号情報に対応するファイル位置情報およびファイル名情報に対応したメモリ７に記憶されたアドレス情報が表すＵＳＢメモリのアドレスから順次ファイルを読み出し、ファイルが順次再生される。
【００２９】
次に、このようにプログラム設定情報が記憶されたＵＳＢメモリをＵＳＢインタフェース８に装着すると、ステップＳ２１でＵＳＢメモリからファイル情報およびフォルダ情報が読み出されメモリ７に記憶された後、ステップＳ２２で制御部６はＵＳＢメモリにプログラム設定情報が記憶されているか否かを判定する。ここでは、ＵＳＢメモリにプログラム設定情報が記憶されているので（ステップＳ２２のＹ）、ステップＳ２３に進む。
【００３０】
ステップＳ２３で、制御部６は、ＵＳＢメモリからプログラム設定情報をＵＳＢインタフェース８を介して読み出し、メモリ７に記憶させる。
【００３１】
そして、ステップＳ２４で、制御部６がキー入力受付状態となり、リモコンにおいてプログラム画面表示用キーが入力されると、制御部６はリモコン受信部９から対応するコード信号を受信し、ステップＳ２５へ進む。
【００３２】
ステップＳ２５で、制御部６はメモリ７にプログラム設定情報が記憶されているか否かを判定する。ここでは、メモリ７にプログラム設定情報は記憶されているので（ステップＳ２５のＹ）、ステップＳ２６に進む。
【００３３】
ステップＳ２６で、制御部６は、メモリ７に記憶されたファイル情報、フォルダ情報、プログラム設定情報に基づきＯＳＤ部３に図形文字信号を生成するよう指示し、表示装置にプログラム画面が表示される。ここでは、前述したステップＳ２８での通常の表示内容に加えて、プログラム番号情報が表す番号が小さい順に、対応するファイル名が先頭に対応するマークを付されて被選択ファイル表示領域１０６に表示される。すなわち、前述したステップＳ２９におけるファイルの再生順序の設定内容が表示されることになる。
【００３４】
そして、ステップＳ２７で、リモコンにおいて再生キーが入力され、制御部６が対応するコード信号をリモコン受信部９から受信すると、ステップＳ３２で、制御部６は、メモリ７に記憶されたプログラム番号情報が表す番号が小さい順に、プログラム番号情報に対応するファイル位置情報およびファイル名情報に対応したメモリ７に記憶されたアドレス情報が表すＵＳＢメモリのアドレスから順次ファイルを読み出し、ファイルが順次再生される。
【００３５】
このように本発明に係るＵＳＢインタフェース搭載型ＤＶＤプレーヤによれば、ＵＳＢメモリに記憶されたファイルの再生順序をユーザが一度設定すれば、以降、当該ＵＳＢインタフェース搭載型ＤＶＤプレーヤやそれとは別の本発明に係るＵＳＢインタフェース搭載型ＤＶＤプレーヤのいずれにおいても再設定の必要なく設定された再生順序でのファイル再生を行うことができ、利便性の高いものとなる。
【００３６】
また、プログラム設定情報のＵＳＢメモリへの記憶は、以下のようにパーソナルコンピュータによって行ってもよい。図６にパーソナルコンピュータの概略構成図を示す。図６に示すパーソナルコンピュータは、キー入力装置１０と、マウス装置１１と、メモリ１２と、制御部１３と、ＵＳＢインタフェース１４と、表示装置１５とを備える。
【００３７】
ファイル、ファイル情報、フォルダ情報が記憶され、プログラム設定情報は記憶されていない不図示のＵＳＢメモリがＵＳＢインタフェース１４に装着された状態で、メモリ１２に記憶された制御プログラムの読み込みを制御部１３が開始すると、図７に示すフローが開始される。
【００３８】
ステップＳ７１で制御部１３は、ＵＳＢインタフェース１４を介してＵＳＢメモリからファイル情報およびフォルダ情報を読み出しメモリ１２に記憶させる。ファイル情報およびフォルダ情報については前述と同様である。
【００３９】
そして、ステップＳ７２で、制御部１３は、メモリ１２に記憶されたファイル情報およびフォルダ情報に基づき表示用信号を生成し表示装置１５に出力する。すると、表示装置１５において、前述した図２のフローチャートのステップＳ２８で表示されるプログラム画面と同様の画面にさらに「記録」と書かれたボタンが表示されたような画面が表示される。図８に表示例を示す。本画面からユーザはファイルの再生順序を設定できる。
【００４０】
そして、ステップＳ７３では、図４に示すフローチャートの動作に移行する。
【００４１】
ステップＳ４１で、制御部１３は変数Ｉに１を代入する。
【００４２】
ここで、ハイライト１０７はマウス装置１１のクリック操作により移動可能であり、ハイライト１０７によりファイル名が選択できる。また、ルートフォルダ直下にあるフォルダのフォルダ名がハイライト１０７により選択された状態でマウス装置１１においてダブルクリック操作がされると、選択されたフォルダ名のフォルダ直下にあるファイルやフォルダのファイル名やフォルダ名が表示され、ここでもハイライト１０７によりファイル名を選択可能である。同様にあらゆる階層のフォルダ直下にあるファイルのファイル名がハイライト１０７により選択可能である。
【００４３】
ステップＳ４２で、上記のようにハイライト１０７によりファイル名が選択された状態でマウス装置１１においてダブルクリック操作がされ、制御部１３が操作信号を受信すると、ステップＳ４３に進む。ステップＳ４３で、制御部１３は表示用信号を生成し表示装置１５に出力し、表示装置１５においてハイライト１０７により選択されたファイル名が先頭に対応するマークを付されて被選択ファイル表示領域１０８に表示される。
【００４４】
そして、ステップＳ４４で、制御部１３は、ハイライト１０７により選択されたファイル名に対応するファイル位置情報およびファイル名情報を、変数Ｉを表すプログラム番号情報と対応させてメモリ１２に記憶させる。
【００４５】
その後、ステップＳ４５で、制御部１３は変数Ｉを１だけ増加させ、以降ステップＳ４２でファイル名が選択および決定されるたびに同様の動作が繰り返される。
【００４６】
そして、ステップＳ４５が終わった状態で、マウス装置１１のクリック操作により画面上の「記録」と書かれたボタン１０９が押し下げられると（図７のステップＳ７４）、ステップＳ７５で、制御部１３は、図４に示す動作によりメモリ１２に記憶されたプログラム番号情報、ファイル位置情報、ファイル名情報をプログラム設定情報として、ＵＳＢインタフェース１４を介してＵＳＢメモリに記憶させる。
【００４７】
このようにプログラム設定情報が記憶されたＵＳＢメモリを前述した本発明に係るＵＳＢインタフェース搭載型ＤＶＤプレーヤに装着すれば、前述した図２のステップＳ２１、２２、２３、２４、２５、２６、２７、３２の順の処理により、パーソナルコンピュータで設定された再生順序でＵＳＢメモリに記憶されたファイルが順次再生される。従って、パーソナルコンピュータでの一度の設定操作だけで以降、いずれのＵＳＢインタフェース搭載型ＤＶＤプレーヤにおいても再設定の必要なく設定した再生順序でファイルを再生でき、利便性の高いものとなる。
【図面の簡単な説明】
【００４８】
【図１】は、本発明に係るＵＳＢインタフェース搭載型ＤＶＤプレーヤのブロック図である。
【図２】は、本発明に係るＵＳＢインタフェース搭載型ＤＶＤプレーヤのプログラム再生に関する動作のフローチャートである。
【図３】は、プログラム画面例を示す図である。
【図４】は、プログラム設定情報の作成に関するフローチャートである。
【図５】は、プログラム画面例を示す図である。
【図６】は、パーソナルコンピュータの概略構成図である。
【図７】は、パーソナルコンピュータにおけるプログラム設定情報のＵＳＢメモリへの記憶に関する動作のフローチャートである。
【図８】は、プログラム画面例を示す図である。
【符号の説明】
【００４９】
１    ＤＶＤドライブ
２    デコード部
３    ＯＳＤ部
４    オーディオＤＡコンバータ
５    ビデオエンコーダ
６    制御部
７    メモリ
８    ＵＳＢインタフェース
９    リモコン受信部
１０    キー入力装置
１１    マウス装置
１２    メモリ
１３    制御部
１４    ＵＳＢインタフェース
１５    表示装置
【図１】
2008108334.tif 000003
【図２】
2008108334.tif 000004
【図３】
2008108334.tif 000005
【図４】
2008108334.tif 000006
【図５】
2008108334.tif 000007
【図６】
2008108334.tif 000008
【図７】
2008108334.tif 000009
【図８】
2008108334.tif 000010